(57)【要約】【課題】映像コンテンツの表示において、ユーザーが自分の好みの色で表示させようとしても、視覚的に正確に表示させることが困難であった。また、従来のように、色調整ポイントとカラーパレットが離れて表示されていると、色対比現象により視覚的に一致しないという課題があった。【解決手段】映像信号を入力し表示させる手段（１０）、調整ポイントを表示する手段（１）、調整色及び目標色を表示させる手段（２、３）を具備し、前記調整ポイントにより選択された色を、選択位置の近傍に調整色及び／または目標色のカラーパレットを表示させる画像表示装置。【選択図】図１
2005215589.tif 000002
【特許請求の範囲】
【請求項１】
映像信号を入力し表示させる手段と、
調整ポイントを表示する手段と、
調整ポイントにより選択された色である調整色と調整目標としての色である目標色を表示するカラーパレットと、
を具備し、
調整色及び目標色のカラーパレットを調整ポイントで選択した選択位置の近傍に表示させる画像表示装置。
【請求項２】
前記調整色及び目標色のカラーパレットに無彩色またはほぼ無彩色の枠を表示させる請求項１記載の画像表示装置。
【請求項３】
前記無彩色またはほぼ無彩色の枠の輝度を画面の輝度に連動させて変化させる請求項２記載の画像表示装置。
【請求項４】
前記画面の輝度は画面全体の平均輝度である請求項３記載の画像表示装置。
【請求項５】
前記画面の輝度は選択位置と選択位置に隣接する少なくとも４画素の平均輝度である請求項３記載の画像表示装置。
【請求項６】
前記無彩色またはほぼ無彩色の枠の太さは画面高さの０．４％以上で表示させる請求項２記載の画像表示装置。
【請求項７】
前記カラーパレットの大きさは映像信号表示画面の０．０５％以上の面積比で表示させる請求項１記載の画像表示装置。
【請求項８】
前記調整色カラーパレットの表示が前記調整ポイントの指し示す画素の色をパレット全面に表示するかまたは指し示す画素とその周辺画素を含めて表示する請求項１記載の画像表示装置。
【発明の詳細な説明】
【技術分野】
【０００１】
本発明は、ＤＶＤメディアの映像やパソコンの画像に対して、ユーザーが色調整できる画像表示装置に関するものである。
【背景技術】
【０００２】
(1)画面上で色補正やノイズ除去を行うための手段として、参照用ウィンドウと作業用ウィンドウの２つの画面を表示させて、補正作業することが開示されている。図８ではその補正するための２つのウィンドウ画面を示しているが、キズ、ブレ、色の不備がある画面、すなわちこれから補正する前の状態にあるものを作業用ウィンドウに表示させ、他方、参照用ウィンドウには同一もしくは前後のフレームを表示させて、関連する正常なフレームよりデータを貼り付けて、補正を加えるものとして提案されている（特許文献１参照）。
【０００３】
(2)画面上で色補正を行なう手段として画面内の色を指定するためのカーソル、調整色を表示する為の調整色カラーパレットと指定した目標色を表示する為の目標色カラーパレットを用いて作業する事が開示されている。図９はそのための色調整用画面を示しているが、カーソルで画面内の指定した位置の色を調整色パレットに表示させ、他方、目標色パレットにはその調整色パレットに表示した色を好みの色に補正した後の色を表示する事でユーザー所望の補正が行われるものとして提案されている（特願２００３−１９４２０４号参照）。
【特許文献１】特開２００２−２６２２１８号公報
【発明の開示】
【発明が解決しようとする課題】
【０００４】
しかしながら、近年市場に出回っているＤＶＤ（Ｄｉｇｉｔａｌ  Ｖｅｒｓａｔｉｌｅ  Ｄｉｓｋ）メディアや、パソコンなどで表示するブロードバンドメディアでは、ユーザーに届く前に様々な色加工がなされており、ユーザーが好む色からかけ離れた色表示をしてしまう場合がある。またユーザーが自由に色調整できる仕組みを持った表示装置も提案されているが、どのような値をサンプリングしたか、わかりにくいため使いづらいものとなっている。
【０００５】
さらに色を補正する場合、従来例のようにカーソルのサンプリングポイントと調整色カラーパレット、目標色カラーパレットが離れて表示されていると、人間の目は色相対比、彩度対比、明度対比などの色対比現象が発生してしまい、カラーパレットで色補正しても、全体表示させると補正時イメージしていた色と異なるという課題があった。
【０００６】
本発明は、上記のこのような課題を考慮し、たとえばＤＶＤメディアやパソコンなどで表示するブロードバンドメディアに対して、ユーザーが簡単に色調整できるとともに、カラーパレットをカーソルの近傍で表示させるので、視覚的に正確な色調整を実現することが出来る画像表示装置を提供することを目的とするものである。
【課題を解決するための手段】
【０００７】
第１の本発明は、映像信号を入力し表示させる手段（１０）と、調整ポイントを表示する手段（１）と、調整ポイントにより選択された色である調整色と調整目標としての色である目標色を表示するカラーパレット（２、３）と、を具備し、調整色及び目標色のカラーパレットを調整ポイントで選択した選択位置の近傍に表示させる画像表示装置である。
【０００８】
第２の本発明は、前記調整色及び目標色のカラーパレット（２、３）に無彩色またはほぼ無彩色の枠（８）を表示させる請求項１記載の画像表示装置である。
【０００９】
第３の本発明は、前記無彩色またはほぼ無彩色の枠の輝度を画面の輝度に連動させて変化させる請求項２記載の画像表示装置である。
【００１０】
第４の本発明は、前記画面の輝度は画面全体の平均輝度である請求項３記載の画像表示装置である。
【００１１】
第５の本発明は、前記画面の輝度は選択位置と選択位置に隣接する少なくとも４画素の平均輝度である請求項３記載の画像表示装置である。
【００１２】
第６の本発明は、前記無彩色またはほぼ無彩色の枠の太さは画面高さの０．４％以上で表示させる請求項２記載の画像表示装置である。
【００１３】
第７の本発明は、前記カラーパレットの大きさは映像信号表示画面の０．０５％以上の面積比で表示させる請求項１記載の画像表示装置である。
【００１４】
第８の本発明は、前記調整色カラーパレットの表示が前記調整ポイントの指し示す画素の色をパレット全面に表示するかまたは指し示す画素とその周辺画素を含めて表示する請求項１記載の画像表示装置である。
【発明の効果】
【００１５】
本発明は、ＤＶＤメディアやパソコンなどで表示するブロードバンドメディアに対して、ユーザーが簡単に色調整できるとともに、カラーパレットを選択点の近傍に表示させられるので、色調整の知識がなくても、視覚的に正確な色表示を実現することが出来るという長所を有する。
【発明を実施するための最良の形態】
【００１６】
以下では、本発明にかかる実施の形態について、図面を参照しつつ説明を行う。
【００１７】
（実施の形態１）
はじめに、本発明の実施形態１の画像処理装置を、図５を参照しながら説明する。
【００１８】
図５はプロジェクタ１００の外観図であり、プロジェクタ１００は入力された映像信号を処理し、ＰＯＷＥＲボタン１５０を押すことで、図示されていない内部の光源及びライドバルブを用いて、投写レンズ１９０より拡大投写映像を出力する。入力としては、Ｖｉｄｅｏ入力１７０とＲＧＢ入力１６０を持ち、それぞれ外部の機器を接続する。またＵＳＢなどのマウスポートを備え、マウス１３０を接続してプロジェクタ１００のセッティング状態や、画面上を移動できるポインタとして動作させる。これは操作ボタン１４０でも同一の機能を実現させることが出来る。
【００１９】
次に、本発明の実施の形態１のプロジェクタ１００の詳細ブロック図である図６を参照しながら説明する。
【００２０】
ＶＩＤＥＯ端子１１は、ＮＴＳＣ方式のコンポジットビデオ信号を入力するための端子である。
【００２１】
Ｓ−ＶＩＤＥＯ端子１２は、Ｓビデオ信号を入力するための端子である。
【００２２】
ＲＧＢ／ＹＰｂＰｒ端子１３は、ＲＧＢ信号またはＹＰｂＰｒ信号を入力するための端子である。
【００２３】
入力セレクタ２１は、ＶＩＤＥＯ端子１１から入力されたコンポジットビデオ信号、Ｓ−ＶＩＤＥＯ端子１２から入力されたＳビデオ信号の内から何れかの信号を選択するためのセレクタである。
【００２４】
Ｙ／Ｃ分離回路２３は、カラーデコーダ２２によって入力されたコンポジットビデオ信号を、Ｙ信号とＣ信号とに分離するための回路である。
【００２５】
カラーデコーダ２２は、Ｙ／Ｃ分離された信号または入力されたＹ／Ｃ信号をＹＰｂＰｒ信号にカラーデコードするためのデコーダである。
【００２６】
マトリクス回路２４は、ＲＧＢ／ＹＰｂＰｒ端子１３から入力されたＹＰｂＰｒ信号をＲＧＢ信号へ変換する際にマトリクス処理を行うための回路である。
【００２７】
入力セレクタ２５は、ＲＧＢ／ＹＰｂＰｒ端子１３から入力されたＲＧＢ信号、マトリクス回路２４によって生成されたＲＧＢ信号の内から何れかの信号を選択するためのセレクタである。
【００２８】
入力セレクタ２６は、カラーデコーダ２２によって生成されたＹＰｂＰｒ信号、入力セレクタ２５によって入力されたＲＧＢ信号の内から何れかのアナログ信号を選択するためのセレクタである。
【００２９】
Ａ／Ｄコンバータ３０は、入力セレクタ２６によって選択されたアナログ信号を、１０ｂｉｔのデジタル信号へＡ／Ｄコンバートするためのコンバータである。
【００３０】
リサイズ・フリーズ・オンスクリーン発生回路４０は、Ａ／Ｄコンバータ３０によってＡ／Ｄコンバートされたデジタル信号を、ＬＣＤ（Ｌｉｑｕｉｄ  Ｃｒｙｓｔａｌ  Ｄｉｓｐｌａｙ）パネル９１〜９３の画素数に応じてリサイズし、オンスクリーンを重畳させるための回路である。
【００３１】
色変換回路５０は、リサイズ・フリーズ・オンスクリーン発生回路４０が出力したＲＧＢデータをユーザーが選択した色座標の任意の色へ変換する回路である。
【００３２】
輝度算出回路５１は、色変換回路５０が出力したＲＧＢデータより輝度を算出し、任意の領域の輝度データの平均値を出力する回路である。
【００３３】
入力セレクタ５２は、色変換回路５０から出力されたＲＧＢ信号、輝度算出回路５１によって生成されたＲＧＢ信号の内から何れかのデジタル信号を選択するためのセレクタである。
【００３４】
メインマイコン７０は、電源（図示省略）制御、ファン（図示省略）制御、温度制御、入力切り換え制御など装置全体のあらゆる制御を行うとともに、ユーザーが色調整する場合に、マウス１３０やリモコン６０でカーソル１を移動させる必要があり、外部インタフェース７１からのデータに基づき、色変換回路５０へ座標データを転送し、リサイズ・フリーズ・オンスクリーン発生回路４０に対してフリーズ制御を行う。
【００３５】
デジタル相展開回路８１〜８３は、ＬＣＤパネル９１〜９３の駆動ドライバ（図示省略）の動作速度を考慮して、色変換回路５０によって色補正されたデジタル信号を相展開するための回路である。
【００３６】
パネル駆動ＩＣ（Ｉｎｔｅｇｒａｔｅｄ  Ｃｉｒｃｕｉｔ）９０は、ＬＣＤパネル９１〜９３を駆動するための回路である。
【００３７】
ＬＣＤパネル９１〜９３は、色変換回路５０によって色補正され、デジタル相展開回路８１〜８３によって相展開されたデジタル信号をカラー表示するためのパネルである。
【００３８】
図７は画像表示装置、すなわちプロジェクタ１００を用いた表示システムを示すものである。入力端子１６０に接続されたパソコン６１の画像をプロジェクタ１００を用いてスクリーン１１０に投写する。この時、プロジェクタ１００に対してリモコン６０は各機能の制御を行うとともに、本発明の調整ポイントを移動させる手段として、上下左右キーで投写画面上のカーソルを移動させることが出来る。
【００３９】
次に、このプロジェクタにおける、本発明の動作について図１を用いて説明する。
【００４０】
まず、画面上でＧＵＩ（Ｇｒａｐｈｉｃ  Ｕｓｅｒ  Ｉｎｔｅｒｆａｃｅ）またはカーソル表示ボタン１４１にてマウス１３０または操作ボタン１４０のカーソルを表示する。この時、ＧＵＩにて調整色パレット２と目標色パレット３をカーソル１の近傍に表示させておく。
【００４１】
ここで近傍について述べる。近傍で好ましい距離はカーソル１などの選択ポイント指定手段で指定する位置から５画素以内離れた位置である。また、１０画素以内ならまだ人間は色を正確に認識できる。しかし、それより離れると人間の目は色対比現象により視覚的な色の一致ができなくなる。例えば、カーソル１により指定してカラーパレットに表示された色が青色であったとすると、カラーパレットが指定した位置から７画素離れた位置であった場合、正確に青色として認識できる。しかし、指定した位置から１２画素離れた位置にカラーパレットを表示するとくすんだ青色として人間の目は認識してしまう。
【００４２】
続いて、色調整用画面７も表示させておく。図７では投写画像の中央上にカーソル１が表示されている。次にマウス１３０または操作ボタン１４０で動かすことで、画面上のカーソル１は投写画像における山の中心付近に移動され、ここで位置を決定することにより、カーソル１で示された位置の山の色データをプロジェクタの内部回路に取り込み、ＲＧＢがそれぞれ、Ｒ（Ｒｅｄ）：５レベル／２５６階調、Ｇ（Ｇｒｅｅｎ）：２００レベル／２５６階調、Ｂ（Ｂｌｕｅ）：１２レベル／２５６階調、と認識する。調整色パレット２に表示されたこれをユーザーは色調整用画面７にて好みの色へ変化させるため山の色をＲ：１０レベル／２５６階調、Ｇ：２３０レベル／２５６階調、Ｂ：８レベル／２５６階調に変更し、目標色パレット３に表示し、ユーザーが好みの色に変更されていれば投写画像を変更する。この時、変更した色が好みの色でない場合は、再度色調整用画面７にて、好みの色を選択し、同一画面内で色を調整して繰り返し好みの色になるように調整できる。次いで山以外にも太陽や背景の空なども変更する場合は、同様にカーソル１を移動させて、色を変換することが出来る。
【００４３】
以上のように本実施形態によれば、ユーザーは入力された映像信号に対し、調整ポイントを表示する手段と、調整色及び目標色を表示させる手段と、調整ポイントにより選択された色を、選択位置の近傍に調整色及び目標色のカラーパレットを表示させることで、人間の目の持つ色対比現象に邪魔されることなく、視覚的に正確な色表示がされ、かつ簡単な操作でユーザー好みの色に色調整を行うことができる。
【００４４】
なお、本実施形態のカーソル位置移動後の決定については、特に図示していないが、別途決定ボタンを設けても構わないし、マウス１３０などのダブルクリックでその機能を代用させても良い。またカーソル移動にはリモコン６０を用いても構わない。
【００４５】
なお、本実施の形態において、リモコン６０の動きに連動してカーソル１を移動させたが、そのカーソルは十字でも四角や丸などの選択枠でも構わない。
【００４６】
なお、本実施形態の色調整用画面７は映像信号表示画面１０上に表示させたが、別途パソコンなどのデバイス上に表示させ操作しても構わない。
【００４７】
（実施の形態２）
本発明の実施形態２の画像処理装置は実施の形態１と手段は同じであり、画面上にカーソルを表示して、マウスなどの制御デバイスにより、画面上のカーソル位置を移動させ、ユーザーが色を変換させたい位置で位置決定させると、その位置の画像データをカーソル近傍の調整色パレット２に表示させ、色調整用画面７により所望の色に変換し、目標色パレット３に色変換後の色を表示させる。その後、映像表示画面に変換後の映像を表示させるものである。
【００４８】
ここで、本発明の実施形態２で使用する調整色パレット２と目標色パレット３の枠について図２を用いて説明する。色調整する際、前記カラーパレットに無彩色またはほぼ無彩色の枠８を設けることで、より、両カラーパレットの色を視覚的に正確な色表示を実現できる効果を持つ。例えば、調整色パレット２に表示させた山の色のＲＧＢがそれぞれ、Ｒ：５レベル／２５６階調、Ｇ：２００レベル／２５６階調、Ｂ：１２レベル／２５６階調であった場合、無彩色の枠のＲＧＢがそれぞれ、Ｒ：２５レベル／２５６階調、Ｇ：２５レベル／２５６階調、Ｂ：２５レベル／２５６階調とすることで調整色パレット２周辺の色の影響が少なくなり、視覚的に正確な色表示がされる。続いて目標色パレット３にユーザーが好みの色に変換して表示させた場合、同じく無彩色またはほぼ無彩色の枠を表示させる事で調整色パレット２と同じ効果が得られる。ゆえに、両カラーパレットに無彩色の枠を表示することで、視覚的に正確な色表現がなされるのでユーザーが色変換する時に、より色変換することを助ける効果を有する。ここで無彩色またはほぼ無彩色の色としたが多くの色に対して人間の色対比現象の影響を一番受けにくいからである。
【００４９】
なお、ここではカーソル位置の山の色を表示させる調整色パレット２また、目標色パレット３を無彩色に固定したが、もちろんほぼ無彩色の色であれば構わない。
【００５０】
このほぼ無彩色というのは、例えばＬ＊ａ＊ｂ＊表色系でいうとａ＊、ｂ＊がそれぞれ７以下の場合をいう。
【００５１】
（実施の形態３）
本発明の実施形態３の画像処理装置は実施の形態１と手段は同じであり、画面上にカーソルを表示して、マウスなどの制御デバイスにより、画面上のカーソル位置を移動させ、ユーザーが色を変換させたい位置で位置決定させると、その位置の画像データをカーソル近傍の調整色パレット２に表示させ、色調整用画面７により所望の色に変換し、目標色パレット３に色変換後の色を表示させる。その後、映像表示画面に変換後の映像を表示させるものである。
【００５２】
ここで、本実施形態３で使用する調整色パレット２と目標色パレット３の枠について、図２を用いて説明する。図２は調整色パレット２と目標色パレット３に無彩色またはほぼ無彩色の枠を表示しているが、本実施形態ではこの枠の色は映像信号表示画面の輝度に連動させて決定されるものである。この輝度の算出方法を図６の画像表示装置１００の詳細ブロック図を用いて説明する。ユーザーがＧＵＩで調整色パレット２と目標色パレット３を表示すると色変換回路５０から出力されたＲＧＢデジタル信号が輝度算出回路により、１画素ごとの輝度信号が算出され足されていく。映像信号表示画面１０全体の画素数と等しくなったところでその全体画素数で輝度信号の合計した値を割り、映像信号表示画面１０の表示画面全体の平均輝度を算出する。この輝度信号を調整色パレット２と目標色パレット３の枠の輝度とする事で映像表示画面１０全体の平均輝度に応じた枠の色を実現できる。例えば、画面全体の平均輝度が全画面に白を表示した時の輝度の２３％、つまりＲ：５９レベル／２５６階調、Ｇ：５９レベル／２５６階調、Ｂ：５９レベル／２５６階調であった場合、枠の色を同じ値とする事で実現する事ができる。これに対して人間の目が色対比現象の中でも明度対比現象の影響を受けてしまう事がある。例えば、調整色パレット２と目標色パレット３に表示された色に比べて、枠の色が明るいと両カラーパレット（２、３）に表示された色はより暗く、反対に枠の色が暗いと両カラーパレット（２、３）に表示された色はより明るく人間の目は認識してしまう。
【００５３】
以上により、映像表示画面１０全体の平均輝度を連動して利用することで、より視覚的に正確な色表示を実現できるメリットがある。
【００５４】
なお、ここでは無彩色または無彩色近傍の枠の色を決定するために、映像表示画面１０全体の平均輝度を用いたが、カーソル１で選択された位置または選択位置に隣接する少なくとも４画素の平均輝度を用いてもよい。
【００５５】
（実施の形態４）
本発明の実施形態４の画像処理装置は実施の形態２と手段は同じであり、画面上にカーソルを表示して、マウスなどの制御デバイスにより、画面上のカーソル位置を移動させ、ユーザーが色を変換させたい位置で位置決定させると、その位置の画像データをカーソル近傍の調整色パレット２に表示させ、色調整用画面７により所望の色に変換し、目標色パレット３に色変換後の色を表示させる。その後、映像表示画面１０に変換後の映像を表示させるものである。
【００５６】
ここで、本実施の形態の画像表示装置について図２を参照しながら、動作説明する。図２のように調整色パレット２と目標色パレット３は無彩色及びほぼ無彩色の枠を表示しているが、この枠の太さは非常に重要である。枠の太さは画面のサイズを例えばＳＸＧＡ（１２８０画素×１０２４画素）とした場合、画面高さの０．４％以上つまり５画素以上にするべきである。例えば１２８０画素中１画素の太さにすると、枠と近接している画素の影響を受けてしまい、色対比現象を起こしてしまう。これを５画素以上で表示させる事で視覚的に正確な色表示を実現できる。
【００５７】
（実施の形態５）
本発明の実施形態５の画像処理装置は実施の形態１と手段は同じであり、画面上にカーソルを表示して、マウスなどの制御デバイスにより、画面上のカーソル位置を移動させ、ユーザーが色を変換させたい位置で位置決定させると、その位置の画像データをカーソル近傍の調整色パレット２に表示させ、色調整用画面７により所望の色に変換し、目標色パレット３に色変換後の色を表示させる。その後、映像表示画面１０に変換後の映像を表示させるものである。
【００５８】
ここで、本実施の形態の調整色パレット２と目標色パレット３の大きさについて図３を参照しながら、説明する。
【００５９】
このパレットの大きさは非常に重要である。この大きさは例えば画面のサイズをＳＸＧＡ（１２８０画素×１０２４画素）とした場合、０．０５％以上の面積比にするべきである。例えば調整色パレット２と目標色パレット３を表示する場合、１２８０画素×１０２４画素の０．０５％の面積比、すなわち２６画素×２６画素以上の大きさにしなければならない。これは、映像表示画面に対して両カラーパレットが小さいので、人間の目がカラーパレット周辺の色の影響を受けて全体の中で色の捉え方に変化が出てしまうと考えられる為である。
【００６０】
したがって、このようにサイズを管理されたカラーパレットを表示することで、目の視覚的不一致を起こすことなく、正確な色表示を実現できる。
【００６１】
（実施の形態６）
本発明の実施形態６の画像処理装置は実施の形態１と手段は同じであり、画面上にカーソルを表示して、マウスなどの制御デバイスにより、画面上のカーソル位置を移動させ、ユーザーが色を変換させたい位置で位置決定させると、その位置の画像データをカーソル近傍の調整色パレット２に表示させ、色調整用画面７により所望の色に変換し、目標色パレット３に色変換後の色を表示させる。その後、映像表示画面１０に変換後の映像を表示させるものである。
【００６２】
ここで、本実施の形態のカーソル１により選択する色について図４を参照しながら、動作を説明する。
【００６３】
以上のように構成された画像処理装置について、以下の説明では調整色カラーパレットが図４に示すように、カーソルが指し示す画素とその周辺画素を含めて表示する場合について説明する。
【００６４】
ユーザーは、映像表示画面１０上でカーソル１を色調整したい位置まで移動させ、位置を決定する。その時、調整色パレット２に表示された色が、ユーザーが意図した位置の色ではない場合がある。これは例えばユーザーが指定した位置の１点の色だけが周辺の点に比べて大きく異なる色の点である場合もあり、また、映像信号が圧縮されていることによるノイズの影響である場合もある。その場合、ユーザーは所望の色を調整色パレット２に表示する事ができない。ゆえに、ユーザーが所望の色を得られるようにカーソル１が指し示す画素とその周辺画素を含めて調整色カラーパレット内の色は表現される必要がある。ここでは例えば図４のようにカーソルが指し示す画素を中心に隣接する４点を含む周辺画素を表示する場合を考える。カーソル１による指定した点がＲ：５レベル／２５６階調、Ｇ：２００レベル／２５６階調、Ｂ：１２０レベル／２５６階調であり、隣接する４点が全てＲ：９レベル／２５６階調、Ｇ：２１０レベル／２５６階調、Ｂ：１１０レベル／２５６階調の場合、合計５点を加算平均するとＲ：８レベル／２５６階調、Ｇ：２０８レベル／２５６階調、Ｂ：１１２レベル／２５６階調となる。これを調整色パレットに表示する。
【００６５】
これにより正確な色表示が可能になり、人間の目のもつ色対比現象に邪魔されることなく視覚的に正確な色表示を実現できる。
【産業上の利用可能性】
【００６６】
本発明にかかる画像表示装置は、ユーザーが色調整の知識がなくても、視覚的に正確な色表示を実現することが出来るという長所を有し、色補正や色変換等の分野で有用である。
【図面の簡単な説明】
【００６７】
【図１】本発明の実施の形態１の画像状態を示す説明図
【図２】本発明の実施の形態２、３、４の画像状態を示す説明図
【図３】本発明の実施の形態５の画像状態を示す説明図
【図４】本発明の実施の形態６の画像状態を示す説明図
【図５】本発明の実施の形態１のプロジェクタの外観図
【図６】本発明の実施の形態１の画像表示装置の詳細ブロック図
【図７】本発明の実施の形態１を説明する画像表示システム図
【図８】従来例における色補正を行う画面表示図
【図９】従来例における色補正を行う画面表示図
【符号の説明】
【００６８】
１  カーソル
２  調整色カラーパレット
３  目標色カラーパレット
４  色相調整スケール
５  色の濃さ調整スケール
６  明るさ調整スケール
７  色調整用画面
８  カラーパレットの枠
１０  映像信号表示画面
１１  ＶＩＤＥＯ端子
１２  Ｓ−ＶＩＤＥＯ端子
１３  ＲＧＢ／ＹＰｂＰｒ端子
２１  入力セレクタ
２２  カラーデコーダ
２３  Ｙ／Ｃ分離回路
２４  マトリクス回路
２５  入力セレクタ
２６  入力セレクタ
３０  Ａ／Ｄコンバータ
４０  リサイズ・フリーズ・オンスクリーン発生回路
５０  色変換回路
５２  入力セレクタ
６０  リモコン
６１  パソコン
７０  メインマイコン
７１  外部インタフェース
８１〜８３  デジタル相展開回路
９０  パネル駆動ＩＣ
９１〜９３  ＬＣＤパネル
１００  プロジェクタ
１１０  スクリーン
１３０  マウス
１４０  操作ボタン
１４１  カーソル表示ボタン
１５０  ＰＯＷＥＲボタン
１６０  ＲＧＢ入力端子
１７０  Ｖｉｄｅｏ入力端子
１９０  投写レンズ
【図１】
2005215589.tif 000003
【図２】
2005215589.tif 000004
【図３】
2005215589.tif 000005
【図４】
2005215589.tif 000006
【図５】
2005215589.tif 000007
【図６】
2005215589.tif 000008
【図７】
2005215589.tif 000009
【図８】
2005215589.tif 000010
【図９】
2005215589.tif 000011